(57)【要約】      （修正有）【課題】繊維材料又は布帛に所望物質が溶解されている所望物質溶液に浸漬して、所望物質を坦持させる工程を自動化し得る坦持装置を提供する。【解決手段】繊維材料又は布帛に所望物質を坦持する坦持装置において、該所望物質溶液１６が貯留されている槽１２ａと、前記繊維材料又は布帛が挿入される籠体１８と、籠体１８が一端側に設けられた軸体２０と、軸体２０の他端側に設けられ、籠体１８を回転駆動するモータ２８と、籠体１８が槽１２ａの下位位置、液面の中位位置、及び上位位置となるように、モータ２８を載置する載置台３０昇降するシリンダ装置３８，３８とを具備し、槽１２ａの上位位置の籠体１８を前記下位位置として、槽１２ａの所望物質溶液１６に浸漬した後、籠体１８を前記中位位置に位置させて回転駆動して脱水処理を施し、次いで籠体１８を前記上位位置に位置するよう制御手段が設けられていることを特徴とする。【選択図】        図２
2006233382.tif 000002
【特許請求の範囲】
【請求項１】
繊維材料又は布帛を所望物質が溶解されている所望物質溶液に浸漬して、前記繊維材料又は布帛に前記所望物質を坦持する坦持装置において、
該所望物質溶液が貯留されている槽と、前記繊維材料又は布帛が挿入される籠体と、前記籠体が一端側に設けられた軸体と、前記軸体の他端側に設けられ、前記籠体を回転駆動する籠体回転手段と、前記籠体が槽内の所望物質溶液に浸漬される下位位置、前記槽内で且つ所望物質溶液の液面上の中位位置、及び前記槽の上方の上位位置となるように、前記回転駆動手段を載置する載置台又は前記槽を昇降する昇降手段とを具備し、
前記槽の上位位置の籠体を前記下位位置として、前記槽内の所望物質溶液に浸漬した後、前記籠体を前記中位位置に位置させて回転駆動して脱水処理を施し、次いで前記籠体を前記上位位置に位置するように、前記昇降手段及び籠体回転手段を制御する制御手段が設けられていることを特徴とする坦持装置。
【請求項２】
繊維材料又は布帛を、所望の物質が溶解されている所望物質溶液、後処理溶液、及び水洗水に浸漬して、前記繊維材料又は布帛に前記所望の物質を坦持する坦持装置において、
該所望物質溶液が貯留されている所望物質溶液槽、後処理溶液が貯留された後処理槽、及び洗浄水が貯留された洗浄槽の各々が環状に配設されており、
前記繊維材料又は布帛が挿入される籠体が一端側に設けられた軸体の他端側に設けられ、前記籠体を回転駆動する籠体回転手段と、
前記籠体が各槽内の溶液に浸漬される下位位置、前記籠体が各槽内で且つ溶液の液面上の中位位置、及び前記槽の上方の上位位置となるように、前記回転駆動手段を載置する載置台又は前記籠の各々を昇降する昇降手段と、
前記槽の上方に位置する籠体を、次に浸漬する溶液が貯留された槽の上位位置に位置するように、前記載置台を回転駆動する載置台回転手段とを具備し、
前記槽の各上位位置の籠体を前記下位位置として、前記槽に貯留した溶液に浸漬した後、前記籠体を前記中位位置に位置させて回転駆動して脱水処理を施し、次いで前記籠体を前記上位位置に位置させて、次に浸漬する溶液が貯留された槽の上位位置までに移動するように、前記昇降手段、籠体回転手段及び載置台回転手段を制御する制御手段が設けられていることを特徴とする坦持装置。
【請求項３】
所望物質溶液が金属フタロシアニン錯体溶液であり、後処理溶液が酸溶液である請求項２記載の坦持装置。
【請求項４】
繊維材料又は布帛が、絹素材を焼成して炭化した絹焼成体から成る繊維材料又は布帛である請求項２又は請求項３記載の坦持装置。
【発明の詳細な説明】
【技術分野】
【０００１】
本発明は坦持装置に関し、更に詳細には繊維材料又は布帛を所望物質が溶解されている所望物質溶液に浸漬して、前記繊維材料又は布帛に前記所望物質を坦持する坦持装置に関する。
【背景技術】
【０００２】
消臭効果を呈する金属フタロシアニン錯体を繊維材料又は布帛に坦持させることは、例えば下記特許文献１によって知られている。
金属フタロシアニン錯体を繊維材料又は布帛に坦持させる際には、通常、繊維材料又は布帛を、金属フタロシアニン錯体のアルカリ性溶液に所定時間浸漬した後、酸溶液に浸漬して中和処理を施し、次いで水洗する水洗処理を施す。
【特許文献１】特開平１１−５６９９０号公報（特許請求の範囲、［００１６］）
【発明の開示】
【発明が解決しようとする課題】
【０００３】
この様に、金属フタロシアニン錯体が坦持された繊維材料又は布帛は、簡単な工程で得ることができる。
しかし、金属フタロシアニン錯体が坦持された繊維材料又は布帛を工業的に製造するには、その工程を自動化することが必要である。
特に、繊維材料又は布帛を、金属フタロシアニン錯体等の所望物質が溶解されている所望物質溶液に浸漬した後、この所望物質溶液から取り出して脱水処理し、次の工程に移送する動作を自動化することが必要である。
そこで、本発明の課題は、繊維材料又は布帛を所望物質が溶解されている所望物質溶液に浸漬して、前記繊維材料又は布帛に所望物質を坦持させる工程を自動化し得る坦持装置を提供することにある。
【課題を解決するための手段】
【０００４】
本発明者は、前記課題を解決するには、繊維材料又は布帛を挿入した籠体を、所望物質溶液が貯留された槽内に挿入して、槽内の所望物質溶液に浸漬した後、この槽から取り出した籠体を回転して脱水処理し、次いで籠体を槽外に取り出すことが有効であると考え検討したところ、脱水処理を施す脱水処理専用槽を設けることを要することが判明した。この様に、脱水処理専用槽を設けることは、坦持装置を複雑化、大型化する。
このため、本発明者は、脱水処理専用槽を設けることを要しない坦持装置について更に検討を重ねた結果、槽内で且つ所望物質溶液の液面よりも上方に位置する籠体を回転して脱水処理することによって、脱水処理専用槽を設けることを要しないことを知り、本発明に到達した。
すなわち、本発明は、繊維材料又は布帛を所望物質が溶解されている所望物質溶液に浸漬して、前記繊維材料又は布帛に前記所望物質を坦持する坦持装置において、該所望物質溶液が貯留されている槽と、前記繊維材料又は布帛が挿入される籠体と、前記籠体が一端側に設けられた軸体と、前記軸体の他端側に設けられ、前記籠体を回転駆動する籠体回転手段と、前記籠体が槽内の所望物質溶液に浸漬される下位位置、前記槽内で且つ所望物質溶液の液面上の中位位置、及び前記槽の上方の上位位置となるように、前記回転駆動手段を載置する載置台又は前記槽を昇降する昇降手段とを具備し、前記槽の上位位置の籠体を前記下位位置として、前記槽内の所望物質溶液に浸漬した後、前記籠体を前記中位位置に位置させて回転駆動して脱水処理を施し、次いで前記籠体を前記上位位置に位置するように、前記昇降手段及び籠体回転手段を制御する制御手段が設けられていることを特徴とする坦持装置にある。
【０００５】
また、本発明は、繊維材料又は布帛を、所望の物質が溶解されている所望物質溶液、後処理溶液、及び水洗水に浸漬して、前記繊維材料又は布帛に前記所望の物質を坦持する坦持装置において、該所望物質溶液が貯留されている所望物質溶液槽、後処理溶液が貯留された後処理槽、及び洗浄水が貯留された洗浄槽の各々が環状に配設されており、
前記繊維材料又は布帛が挿入される籠体が一端側に設けられた軸体の他端側に設けられ、前記籠体を回転駆動する籠体回転手段と、前記籠体が各槽内の溶液に浸漬される下位位置、前記籠体が各槽内で且つ溶液の液面上の中位位置、及び前記槽の上方の上位位置となるように、前記回転駆動手段を載置する載置台又は前記籠の各々を昇降する昇降手段と、前記槽の上方に位置する籠体を、次に浸漬する溶液が貯留された槽の上位位置に位置するように、前記載置台を回転駆動する載置台回転手段とを具備し、前記槽の各上位位置の籠体を前記下位位置として、前記槽に貯留した溶液に浸漬した後、前記籠体を前記中位位置に位置させて回転駆動して脱水処理を施し、次いで前記籠体を前記上位位置に位置させて、次に浸漬する溶液が貯留された槽の上位位置までに移動するように、前記昇降手段、籠体回転手段及び載置台回転手段を制御する制御手段が設けられていることを特徴とする坦持装置にある。
かかる本発明において、所望物質溶液として、金属フタロシアニン錯体溶液を用い、後処理溶液として、酸溶液を好適に用いることができる。
また、繊維材料又は布帛として、絹素材を焼成して炭化した絹焼成体から成る繊維材料又は布帛を好適に用いることができる。
【発明の効果】
【０００６】
本発明によれば、繊維材料又は布帛が挿入された籠体を、所望物質溶液が貯留された槽内に挿入して、所望物質溶液槽内の所望物質溶液に浸漬した後、この槽内であって、所望物質溶液の液面よりも上方に位置した籠体を回転して脱水処理することによって、籠体の繊維材料又は布帛に対し浸漬処理を施す槽内で脱水処理も施すことができる。
この様に、本発明に係る坦持装置によれば、脱水処理専用槽を設けることを要しないため、繊維材料又は布帛に所望物質を坦持させる工程を容易に自動化でき、且つ坦持装置の簡単化、小型化を図ることができる。
【発明を実施するための最良の形態】
【０００７】
本発明に係る坦持装置の一例を図１に示す。図１に示す坦持装置は、絹素材を焼成して炭化した絹焼成体から成る繊維材料又は布帛に、鉄フタロシアニン錯体やコバルトフタロシアニン錯体等の金属フタロシアニン錯体を坦持する坦持装置である。
かかる坦持装置では、所望物質溶液としてのアルカリ性の金属フタロシアニン錯体溶液が貯留されているフタロシアニン槽１０、後処理溶液として、アルカリ性の金属フタロシアニン錯体溶液に浸漬された繊維材料又は布帛を中和する酸溶液が貯留された酸溶液槽１２ａ，１２ｂ、及び酸溶液等を洗浄する洗浄水としての水が貯留された洗浄槽１４ａ，１４ｂ，１４ｃの各々が環状に配設されている。
尚、繊維材料又は布帛を金属フタロシアニン錯体溶液に浸漬する浸漬時間が、繊維材料又は布帛を酸溶液及び洗浄水に浸漬する時間よりも著しく長いため、フタロシアニン槽１０の左右に、フタロシアニン槽１０に供給する繊維材料又は布帛を、予め金属フタロシアニン錯体溶液に浸漬して準備しておく準備槽１０ａ，１０ａが配設されている。
【０００８】
このフタロシアニン槽１０、酸溶液槽１２ａ，１２ｂ、及び洗浄槽１４ａ，１４ｂ，１４ｃの各槽上には、図２に示す様に、繊維材料又は布帛が挿入された籠体１８が軸体２０の一端側に設けられている。この軸体２０の他端側には、籠体１８を回転駆動する籠体回転駆動手段２２が設けられている。
かかる籠体回転駆動手段２２は、軸体２０の他端部を支承する支承部材２４ａ，２４ｂと、軸体２０に装着されたプーリ２６をベルト駆動するモータ２８とから構成される。
この籠体回転駆動手段２２は、図１に示す様に、各槽ごとに対応する籠体回転駆動手段２２が載置台３０上に載置されている。
【０００９】
載置台３０は、図２に示す様に、載置台回転手段としてのモータ３４に一端部が接続されている回転軸３２の他端部に接続されており、モータ３４によって載置台３０は、矢印Ａ（図１）の方向に回転し、籠体１８を次の槽上に移動できる。
モータ３４を固定する固定台３６は、昇降手段としてのシリンダ装置３８，３８のロッド３８ａ，３８ａによって支承されており、シリンダ装置３８，３８を駆動することによって、固定台３６、モータ３４及び載置台３０を昇降できる。
このため、図２に示す様に、例えば酸溶液槽１２ａの上方の上位位置に位置する籠体１８を、シリンダ装置３８，３８を駆動することによって、図３（ａ）に示す様に、酸溶液槽１２ａに貯留されている酸溶液１６に浸漬される下位位置に降下せしめ、籠体１８内の繊維材料又は布帛に後処理としての第１中和処理を施すことができる。
次に、図３（ａ）に示す下位位置に位置する籠体１８を、図３（ｂ）に示す様に、酸溶液槽１２ａ内であって、酸溶液１６の液面上に上昇するように、シリンダ装置３８，３８を駆動する。この図３（ｂ）に示す状態で、モータ２８を駆動して籠体１８を回転することによって、籠体１８内の繊維材料又は布帛に脱水処理を施すことができる。
脱水処理が終了した後、シリンダ装置３８，３８を駆動して、図１に示す様に、酸溶液槽１２ａの上方の上位位置に籠体１８を上昇し、更にモータ３４を駆動することによって、槽１２ａの上方の籠体１８を、酸溶液槽１２ｂの上位位置に移送すると共に、フタロシアニン槽１０の上方の籠体１８を、酸溶液槽１２ａの上位位置に移送できる。
【００１０】
昇降手段としてのシリンダ装置３８，３８、籠体回転手段としてのモータ２８，２８・・及び載置台回転手段としてのモータ３４は、図２に示す様に、制御手段によって制御されている。
このため、制御部から各槽の上位位置の籠体１８を下位位置となるようにシリンダ装置３８，３８に信号を発信し、籠体１８，１８・・の各々を対応する槽に貯留した溶液に浸漬した後、制御部から各槽の籠体１８を、浸漬されていた溶液から引き上げて槽内で且つ溶液の液面上となる中位位置まで上昇するように、シリンダ装置３８，３８に信号を発信する。
更に、かかる中位位置に上昇した籠体１８，１８・・の各々を回転して脱水処理を施すように、制御部からモータ２８，２８・・の各々に信号を発信する。
次いで、脱水処理が終了した籠体１８，１８・・の各々を、各槽上の上方の上位位置に引き上げるように、制御部からにシリンダ装置３８，３８に信号を発信し、その後、各籠体１８を次の槽上に位置するように、モータ３４に信号を発信する。
【００１１】
図１及び図２に示す坦持装置においては、フタロシアニン槽１０の上方の上位位置に位置する籠体１８から金属フタロシアニン錯体が坦持された繊維材料又は布帛を取り出した後、この籠体１８に準備槽１０ａ，１０ａにおいて予め金属フタロシアニン錯体溶液に浸漬処理を施した繊維材料又は布帛を挿入してから処理を開始する。
この様に、図１及び図２に示す坦持装置によれば、繊維材料又は布帛に金属フタロシアニン錯体を坦持させる工程を自動化できる。
また、各溶液に浸漬処理した繊維材料又は布帛を脱水処理する専用脱水処理槽を不要にでき、坦持装置の小型化を図ることができる。
尚、図２では、載置台３０をシリンダ装置３８，３８によって昇降したが、フタロシアニン槽１０、酸溶液槽１２ａ，１２ｂ、及び洗浄槽１４ａ，１４ｂ，１４ｃの各槽をシリンダ装置等の昇降手段によって昇降してもよい。
【００１２】
図１及び図２に示す坦持装置は、絹素材を焼成して炭化した絹焼成体から成る繊維材料又は布帛に金属フタロシアニン錯体を坦持させる坦持装置であったが、他の機能を呈する物質を絹焼成体から成る繊維材料又は布帛に坦持させる坦持装置としても用いることは勿論のこと、一般の繊維材料又は布帛に所定の機能を呈する物質を坦持させる坦持装置としても用いることができる。
【００１３】
また、図１及び図２に示す坦持装置は、所望の物質が溶解されている所望物質溶液、後処理溶液、及び水洗水に浸漬して、繊維材料又は布帛に所望の物質を坦持する装置であったが、後処理及び水洗処理が不要な場合、図２に示す装置のうち、載置台回転手段としてのモータ３４を不要にできる。
すなわち、この場合、所望物質溶液が貯留されている槽１２ａと、繊維材料又は布帛が挿入されて槽１２ａ内の所望物質溶液１６に浸漬される籠体１８と、籠体１８が一端側に設けられた軸体２０と、軸体２０の他端側に設けられ、籠体１８を回転駆動する籠体回転手段としてのモータ２８と、籠体１８が槽１２ａに貯留された所望物質溶液１６に浸漬される下位位置、槽１２ａ内で且つ所望物質溶液１６の液面上の中位位置、及び槽１２ａの上方の上位位置となるように、モータ２８を載置する載置台３０を昇降するシリンダ装置３８，３８とを具備し、槽１２ａの上位位置の籠体１８を下位位置として、槽１２ａに貯留した所望物質溶液１６に浸漬した後、籠体１８を槽１２ａ内で且つ所望物質溶液１６の液面上の中位位置に位置させて回転駆動して脱水処理を施し、次いで籠体１８を槽１２ａの上方の上位位置に位置するように、シリンダ装置３８，３８及びモータ２８を制御する制御手段が設けられていればよい。
この場合にも、載置台３０をシリンダ装置３８，３８によって昇降したが、槽１２ａシリンダ装置等の昇降手段によって昇降してもよい。
【図面の簡単な説明】
【００１４】
【図１】本発明に係る坦持装置の一例を説明するための概略図である。
【図２】図１に示す坦持装置の概要を説明する概要図である。
【図３】図２に示す籠体１８の位置を説明するための説明図である。
【符号の説明】
【００１５】
１０  フタロシアニン槽
１０ａ，１０ａ  準備槽
１２ａ，１２ｂ  酸溶液槽
１４ａ，１４ｂ，１４ｃ  洗浄槽
１６  所望物質溶液
２２  籠体回転駆動手段
２８，３４  モータ
３０  載置台
３２  回転軸
３６  固定台
３８，３８  シリンダ装置
【図１】
2006233382.tif 000003
【図２】
2006233382.tif 000004
【図３】
2006233382.tif 000005